(57)【要約】【課題】  種々の厚みの戸板に適用することができるが、仕切り板を安定に保持することができ、また引き手半部材の構造を簡単にして加工が容易であり、安価に製造する引き手を提供する。【解決手段】  戸板６０Ｂの貫通孔６０Ｈに反対側から嵌め込まれる２つの枠状の引き手半部材３０、４０の間を閉じる仕切り板５０が引き手半部材３０に固定され、またこの仕切り板５０は、引き手半部材４０の溝４０Ｇ内に摺動自在に係入する係入縁５０ＢＥを有する。両引き手半部材３０、４０は、戸板６０Ｂの厚みに応じて相互の間隔が変動するが、仕切り板５０の係入縁５０ＢＥは、戸板６０Ｂの厚みに応じて溝４０Ｇ内に異なる深さで係入する。引き手１０の操作時に仕切り板５０は変位することがなく、安定して操作することができ、また溝４０Ｇは一方の部材４０のみでよく構造が簡単となる。【選択図】        図２
2006225934.tif 000002
【特許請求の範囲】
【請求項１】
戸板の貫通孔に嵌め込まれる引き手本体から成り、前記引き手本体は、前記戸板の前記貫通孔の回りの縁に係合するフランジを有し前記戸板の両側から嵌め込まれて取り付けられる２つの枠状の引き手半部材と前記２つの引き手半部材の間を閉じる仕切り板とを有し、前記２つの引き手半部材は、前記戸板の厚みに応じて相互の間隔が調整されるようになっている引き手において、前記仕切り板は、一方の引き手半部材に固定されていることを特徴とする引き手。
【請求項２】
請求項１に記載の引き手であって、前記仕切り板は、他方の引き手半部材の溝内に摺動自在に係入する係入縁を有することを特徴とする引き手。
【請求項３】
請求項１に記載の引き手であって、前記仕切り板は、一方の引き手半部材に固定された固定仕切り板部と他方の引き手半部材の溝内に摺動自在に係入する係入縁を有する可動仕切り板部とから成っていることを特徴とすることを特徴とする引き手。
【請求項４】
請求項３に記載の引き手であって、前記仕切り板は、前記可動仕切り板部を前記固定仕切り板部に着脱自在に接合する仕切り板部接合手段を備えていることを特徴とする引き手。
【請求項５】
請求項４に記載の引き手であって、前記仕切り板部接合手段は、一方の仕切り板部に設けられた突起と他方の仕切り板部に設けられ前記一方の仕切り板部の突起が着脱自在に圧入される凹部とから成っていることを特徴とすることを特徴とする引き手。
【発明の詳細な説明】
【技術分野】
【０００１】
本発明は、例えば、引き戸の戸板に取り付けられてこの引き戸を開閉するのに用いられる引き手に関し、特にこの引き手を戸板の板厚に合わせて調節可能に取付けられる引き手の改良に関するものである。
【背景技術】
【０００２】
引き戸の戸板に取り付けられてこの引き戸を開閉するのに用いられる引き手は、戸板の貫通孔に嵌め込まれる引き手本体から成り、この引き手本体は、戸板の貫通孔の回りの縁に係合するフランジを有し戸板の両側から嵌め込まれて相互に引き合うようにねじ結合されている２つの引き手半部材とこれらの２つの引き手半部材の間を閉じる仕切り板とを有し、これらの２つの引き手半部材は、戸板の厚みに応じて相互の間隔が調整されるように戸板に組立てられる（特許文献１参照）。
【０００３】
この従来技術の引き手においては、仕切り板は、２つの引き手半部材の相対するガイド溝に跨って摺動自在に係合する摺動片を有し、仕切り板は、引き戸を開閉するために引き手の一方の引き手半部材側から指を差し込むと、この一方の引き手半部材は、指の先で指の差込方向に他方の引き手半部材側に押しやられて深く入り込むように移動する。
【０００４】
この引き手は、１つの仕切り板で引き手の中を仕切るので、材料が少なくて済み、また仕切り板は、指を入れる側が深くなるように移動するので、指掛け深さを充分に確保することができる利点があるが、仕切り板が指掛けの向きに応じて一方又は他方に常に移動するので不安定であり、摺動片がガイド溝内を常に水平に移動している場合には仕切り板が円滑に移動するが、例えば、仕切り板が指の差し込み位置によっては垂直状態からずれて斜めになることがあり、このような状態では、摺動片がガイド溝に水平状態を維持することができないため仕切り板が円滑に移動することができないで操作性が低下する欠点があった。
【０００５】
また、この従来技術の引き手は、仕切り板が２つの引き手半部材の両方に設けられたガイド溝に跨って係入しているので、いずれの側の引き手半部材も構造が複雑となって加工が面倒であり、全体的に高価となる欠点があった。
【０００６】
【特許文献１】特許第３０７３４５８号公報
【発明の開示】
【発明が解決しようとする課題】
【０００７】
本発明が解決しようとする１つの課題は、種々の厚みの戸板に適用することができるが、仕切り板を安定に保持することができる引き手を提供することにある。
【０００８】
本発明が解決しようとする他の課題は、引き手半部材の構造を簡単にして加工が容易であり、安価に製造することができる引き手を提供することにある。
【課題を解決するための手段】
【０００９】
本発明の基本的な課題解決手段は、戸板の貫通孔に嵌め込まれる引き手本体から成り、この引き手本体は、戸板の貫通孔の回りの縁に係合するフランジを有し戸板の両側から貫通孔に嵌め込まれて取り付けられる２つの枠状の引き手半部材とこれらの２つの引き手半部材の間を閉じる仕切り板とを有し、２つの引き手半部材は、戸板の厚みに応じて相互の間隔が調整されるようになっている引き手において、仕切り板は、一方の引き手半部材に固定されていることを特徴とする引き手を提供することにある。
【００１０】
本発明の上記課題解決手段の第１の形態では、仕切り板は、他方の引き手半部材の溝内に摺動自在に係合する係入縁を有する。
【００１１】
本発明の上記課題解決手段の第２の形態では、仕切り板は、一方の引き手半部材に固定された固定仕切り板部と他方の引き手半部材の溝内に摺動自在に係入する係入縁を有する可動仕切り板部とから成っている。
【００１２】
本発明の上記課題解決手段の第２の形態では、仕切り板は、可動仕切り板部を固定仕切り板部に着脱自在に接合する仕切り板接合手段を備えているのが好ましい。この仕切り板接合手段は、例えば、一方の仕切り板部に設けられた突起と他方の仕切り板部に設けられ一方の仕切り板部の突起が着脱自在に圧入される凹部とから成っているものとすることができる。
【発明の効果】
【００１３】
本発明によれば、上記のように、２つの枠状の引き手半部材の間を閉じる仕切り板は、一方の引き手半部材に固定されているので、引き手を操作する際に、仕切り板が移動することがなく、安定して保持されており、従って引き手の操作性を低下することがない。
【００１４】
仕切り板の全体が一方の引き手半部材に固定され、且つ他方の引き手半部材の溝内に摺動自在に係入する係入縁を有すると、両引き手半部材の間に隙間が生ずることがなく、見栄えを低下することがない。
【００１５】
仕切り板が一方の引き手半部材に固定された固定仕切り板部と他方の引き手半部材の溝内に摺動自在に係合する係入縁を有する可動仕切り板部とから成っていると、可動仕切り板部は、戸板の厚みに応じて他方の引き手半部材の溝内を進退して変位するが、引き手の使用時には、この可動仕切り板部は、固定仕切り板部に重合しているので、この他方の引き手半部材側から指を差し込んでも可動仕切り板部が移動することがなく、引き手の操作性を良好に維持することができる。なお、同じ引き手を厚みが相当に変化する種々の戸板に適用する場合は格別、厚みの変化がそれほどの大きくない場合には、仕切り板が移動しなくても充分な指掛け深さを確保することができるので、厚みの変化がそれほど大きくない引き戸にこの形態の引き手を有効に利用することができることが理解される。
【００１６】
また、仕切り板が可動仕切り板部を固定仕切り板部に着脱自在に接合する仕切り板部接合手段を備えていると、引き手の組立後この接合手段によって可動仕切り板部を固定仕切り板部に固定して引き手の操作中に可動仕切り板部が固定仕切り板部から不本意に離れることがなく、可動仕切り板部側から指を差し込む際の操作性を低下することがない。
【００１７】
特に、この仕切り板部接合手段が一方の仕切り板部に設けられた突起と他方の仕切り板部に設けられ一方の仕切り板部の突起が着脱自在に圧入される凹部とから成っていると、可動仕切り板部を固定仕切り板部に単に押し付けるだけで両仕切り板部を接合することができるので、組立が容易である。
【００１８】
なお、この仕切り板部接合手段を設けることなく、可動仕切り板部が他方の引き手半部材の溝に摺動自在であるが、高い抵抗を有して係入して同一の効果を達成することができる。
【００１９】
仕切り板の係入縁が係入する溝は、１つの引き手半部材にのみ設けるだけでよいので、他の引き手半部材の構造が簡単になるから全体的に加工が容易となって安価に製造することができる。
【発明を実施するための最良の形態】
【００２０】
本発明の実施の形態を図面を参照して詳細に述べると、図１乃至図５は、本発明の第１の実施の形態による引き手１０を示し、図６乃至図８は、本発明の第２の実施の形態による引き手１０を示し、また図９乃至図１１は、本発明の第３の実施の形態による引き手１０を示している。これらの引き手１０は、引き戸６０の戸板６０Ｂの貫通孔６０Ｈに嵌め込まれる引き手本体２０から成っている。
【００２１】
これらのいずれの形態の引き手１０は、引き手本体２０の一方の側に設けられ引き戸６０の戸面６０Sよりも引っ込んだ実線位置と戸面６０Ｓから突出する破線位置との間を回転するプロテクタ８０を備えている。このプロテクタ８０は、引き戸６０の開閉時に、他の引き戸又は戸袋の端面に衝合して引き戸が他の引き戸又は戸袋から若干突出して後の操作を容易にする機能を有する。
【００２２】
引き手本体２０は、戸板６０Ｂの貫通孔６０Ｈの回りの縁６０Ｆに係合するフランジ３０Ｆ、４０Ｆを有し戸板６０Ｂの両側から貫通孔６０Ｈに嵌め込まれる２つの枠状の引き手半部材３０、４０と、これらの２つの引き手半部材３０、４０の間を閉じる仕切り板５０とを有する。
【００２３】
２つの枠状の引き手半部材３０，４０は、例えば、図１に示すように、フランジ３０Ｆ、４０Ｆが戸板６０Ｂの貫通孔６０Ｈの回りの縁６０Ｆに係合するように戸板６０Ｂの貫通孔６０Ｈに反対側から嵌め込まれ、上下の枠部分に相対して形成されたねじ孔３０Ｔ、４０Ｔに固定ねじ７０をねじ込んで相互に引き合うように結合して組立てられている。従って、これらの２つの引き手半部材３０、４０は、戸板６０Ｂの厚みに応じて相互の異なる間隔で戸板６０Ｂに嵌め込まれ、即ち、戸板６０Ｂの厚みに応じて間隔が調整される（例えば図１と図２参照）。
【００２４】
本発明の引き手１０は、仕切り板５０が一方の引き手半部材３０に固定され、即ち、仕切り板５０は、この一方の引き手半部材３０に一体に形成されている部分を有するが、以下第１乃至第３の形態毎に仕切り板５０の構造を詳細に説明する。
【００２５】
本発明の第１の実施の形態による引き手１０においては、図１乃至図５に示すように、仕切り板５０は、一方の引き手半部材３０に固定された仕切り板本体５０Ｂから成り、この仕切り板本体５０Ｂは、他方の引き手半部材４０の溝４０Ｇ内に摺動自在に係入する上下の係入縁５０ＢＥを有する。他方の引き手半部材４０は、仕切り板を有しないので、一方の引き手半部材３０側の面は開口している。
【００２６】
図１に示すように、仕切り板本体５０Ｂは、一方の引き手半部材３０の奥の周縁に一体に形成されており、また上下の係入縁５０ＢＥは、仕切り板本体５０Ｂの後面から後方（他方の引き手本体４０）に向けて水平に延び、他方の引き手半部材４０の上下の溝４０Ｇは、これら上下の係入縁５０ＢＥに相対して後方（一方の引き手半部材３０）に向けて開口するように設けられている。
【００２７】
従って、これらの２つの引き手半部材３０、４０が図１に示すように戸板６０Ｂに反対側から嵌め込まれると、仕切り板本体５０Ｂの上下の係入縁５０ＢＥは、引き手半部材４０の上下の溝４０Ｇ内に戸板６０の厚みに応じた深さで係入する。即ち、図１に示すように、戸板６０Ｂが薄いと、仕切り板５０の係入縁５０ＢＥは、引き手半部材４０の溝４０Ｇに深く入り込み、図２に示すように、戸板６０Ｂが厚いと、引き手半部材４０の溝４０Ｇに浅く係入することになる。
【００２８】
このように、２つの枠状の引き手半部材３０、４０の間を閉じる仕切り板５０が一方の引き手半部材３０に固定されていると、引き手１０を操作する際に、仕切り板５０が移動することがなく、安定して保持されるので、引き手１０を良好な操作性で操作することができる。
【００２９】
また、仕切り板５０が他方の引き手半部材４０の上下の溝４０Ｇ内に摺動自在に係入する上下の係入縁５０ＢＥを有すると、戸板６０Ｂの厚みが大きくても上下の係入縁５０ＢＥが両引き手半部材３０、４０の間に生ずる上下の大きな隙間を閉じるので、これらの部材３０，４０の間の上下に隙間が生ずることがなく、固定ねじ７０が隠蔽されて引き手１０の見栄えを低下することがない。
【００３０】
なお、図５に示すように、仕切り板本体５０Ｂの両側には係入縁がないので、仕切り板本体５０Ｂの両側では、引き手半部材４０の奥（引き手半部材側）の両側から貫通孔６０Ｈの表面が露呈するが、引き手半部材４０の両側面は、貫通孔６０Ｈの内面に密に係合しているので、引き手半部材４０の上下部分のように固定ねじ７０の如き体裁を損なうものがなく支障がない。もし、貫通孔６０Ｈの表面が露呈するのを回避したければ、係入縁５０ＢＥを枠状にし、それに対応して溝４０Ｇも四周に連続して設ければよい。
【００３１】
本発明の第２の実施の形態が図６乃至図８に示され、この形態では、仕切り板５０は、一方の引き手半部材３０に固定された固定仕切り板部５０Ｓと他方の引き手半部４０の溝４０Ｇ内に摺動自在に係入する係入縁５０ＭＥを有する可動仕切り板５０Ｍとから成っており、それ以外の構造は、第１の形態の構造と同じである。
【００３２】
この第２の実施の形態では、引き手半部材３０側の可動仕切り板部５０Ｍの係入縁５０ＭＥは、戸板６０Ｂの厚みに応じて引き手半部材４０の溝４０Ｇ内を進退して変位する。即ち、戸板６０Ｂが薄いと、図６に示すように、係入縁５０ＭＥは、溝４０内の奥深く入り込むが、戸板６０Ｂが厚いと、係入縁５０ＭＥが溝４０内に奥深く入り込んだままでは、引き手半部材４０側の指掛け深さが浅くなるので、引き手半部材３０，４０の組立後は、図７に示すように、上下の係入縁５０ＭＥが溝４０Ｇ内に浅く入り込んだ状態を維持しつつ可動仕切り板部５０Ｍを移動して固定仕切り板部５０Ｓに重合させる。このようにすると、引き手半部材４０側から指を差し込んでも可動仕切り板部５０Ｍが移動することがなく、引き手１０の操作性を良好に維持することができる。
【００３３】
本発明の第３の実施の形態が図９乃至図１２に示されており、この形態では、仕切り板５０は、可動仕切り板部５０Ｍを固定仕切り板部５０Ｓに着脱自在に接合する仕切り板部接合手段５２を備えている。図示の形態では、この仕切り板部接合手段５２は、特に図１２に拡大して示すように、一方の仕切り板部（図示の例では可動仕切り板部５０Ｍ）に設けられた突起５２Ｐと他方の仕切り板部（図示の例では固定仕切り板部５０Ｓ）に設けられ仕切り板部５０Ｍの突起５２Ｐが着脱自在に圧入される凹部５２Ｒとから成っている。この接合手段５２は、可動仕切り板部５０Ｍを固定仕切り板部５０Ｓに押し付けるだけで突起５２Ｐが凹部５２Ｒに圧入して両仕切り板部５０Ｍ、５０Ｓを接合することができる。
【００３４】
この仕切り板部接合手段５２は、引き手１０の組立後、可動仕切り板部５０Ｍを固定仕切り板部５０Ｓに固定して引き手１０の操作中に可動仕切り板部５０Ｍが固定仕切り板部５０Ｓから不本意に離れるのを阻止する機能を有するので、可動仕切り板部５０Ｍ側から指を差し込む際の操作性を低下することがない。
【００３５】
なお、既に述べたように、可動仕切り板部５０Ｍの上下の係入縁５０ＭＥが引き手半部材４０の溝４０Ｇに摺動自在であるが、高い抵抗を有して係入していると、可動仕切り板部５０Ｍが同様にして固定仕切り板部５０Ｓから離反することがないので、仕切り板部接合手段を省略することができる。
【００３６】
なお、第１の実施の形態では、仕切り板５０の上下に係入縁５０ＢＥを設け、これらの係入縁５０ＢＥが引き手半部材４０の溝４０Ｇに係入しているが、これらの上下の係入縁５０ＢＥ及び溝４０Ｇを省略してもよい。
【産業上の利用可能性】
【００３７】
戸板の貫通孔に嵌め込んで引き手を形成する２つの枠状の引き手半部材の間を閉じるべき仕切り板は、一方の引き手半部材に固定されているので、引き手を操作する際に、仕切り板が移動することがないから安定して保持され、従って引き手の操作性を低下することがなく、（途中削除）種々の板厚の戸板に安定した操作性を維持しつつ適用することができ、産業上の利用性が向上する。
【図面の簡単な説明】
【００３８】
【図１】本発明の第１の実施の形態による引き手の組立状態の垂直断面図である。
【図２】図１の引き手を図１の戸板の板厚よりも厚い戸板に組立てた状態の垂直断面図である。
【図３】図１及び図２の引き手の正面図である。
【図４】図１及び図２の引き手の背面図である。
【図５】図２のＡ−Ａ線水平断面図である
【図６】本発明の第２の実施の形態による引き手の組立状態の垂直断面図である。
【図７】図６の引き手を図６の戸板の板厚よりも厚い戸板に組立てた状態の垂直断面図である。
【図８】図７のＢ−Ｂ線水平断面図である。
【図９】本発明の第３の実施の形態による引き手の組立状態の垂直断面図である。
【図１０】図９の引き手を図９の戸板の板厚よりも厚い戸板に組立てた状態の垂直断面図である。
【図１１】図１０のＣ−Ｃ水平断面図である。
【図１２】図９、図１０の形態に用いられる仕切り板部接合手段の拡大垂直断面図である。
【符号の説明】
【００３９】
１０      引き手
２０      引き手本体
３０      引き手半部材
３０Ｆ    フランジ
３０Ｔ    ねじ孔
４０      引き手半部材
４０Ｆ    フランジ
４０Ｇ    溝
４０Ｔ    ねじ孔
５０      仕切り板
５０Ｂ    仕切り板本体
５０ＢＥ  係入縁
５０Ｓ    固定仕切り板部
５０Ｍ    可動仕切り板部
５０ＭＥ  係入縁
５２      仕切り板部接合手段
５２Ｐ    突起
５２Ｒ    凹部
６０      引き戸
６０Ｂ    戸板
６０Ｈ    貫通孔
６０Ｆ    縁
６０Ｓ    戸面
７０      固定ねじ
８０      プロテクター
【図１】
2006225934.tif 000003
【図２】
2006225934.tif 000004
【図３】
2006225934.tif 000005
【図４】
2006225934.tif 000006
【図５】
2006225934.tif 000007
【図６】
2006225934.tif 000008
【図７】
2006225934.tif 000009
【図８】
2006225934.tif 000010
【図９】
2006225934.tif 000011
【図１０】
2006225934.tif 000012
【図１１】
2006225934.tif 000013
【図１２】
2006225934.tif 000014